(57)【要約】【課題】  従来、歯ブラシのハンドル部の部分を操作するのが難しいために、ブラシヘッドがすべての歯をきちんと磨くことができなかった。【解決手段】  本発明は、手で把持するためのハンドル部、掃除部、掃除具を形成するための部品を組みたてる解放可能な接続手段（４ａ，４ｂ）を有し、複数の接続手段を有する１つの部分（３）を備え、前記部分（２，３）が複数の異なる相対的位置に組み立てられることを特徴とする、掃除具組立品のための一組の部品に関するものである。前記接続手段（４ａ，４ｂ）は前記ハンドル部（２）の一つの端から突き出たねじ山式受け口（４ａ）と複数の前記ねじ山式差し込み部(４ｂ)であって、相補的なねじ山式受け口を少なくとも、前記歯ブラシの本体部の表面（８）、端面部（１０）、側面（９）のそれぞれに有する。【選択図】      図３
2006181016.tif 000002
【特許請求の範囲】
【請求項１】
手で把持するためのハンドル部、掃除部、掃除具を形成するための部品を組みたてる解放可能な接続手段（４ａ，４ｂ）を有し、複数の接続手段を有する１つの部分（３）を備え、前記部分（２，３）が複数の異なる相対的位置に組み立てられることを特徴とする、掃除具組立品のための一組の部品。
【請求項２】
前記１つの部分（３）が前記掃除部よりなることを特徴とする請求項１に記載の掃除具組立のための一組の部品。
【請求項３】
前記解放可能な接続手段（４ａ，４ｂ）がねじ手段よりなることを特徴とする請求項１又は２に記載の掃除具組立品のための一組の部品。
【請求項４】
前記ねじ手段(４ａ，４ｂ)が前記ハンドル部(２)にねじ山式差し込み部(４ａ)を有し、前記掃除部（３）にねじ山式受け口（４ｂ）を有することを特徴とする請求項３に記載の掃除具組立品のための一組の部品。
【請求項５】
前記ねじ山式差し込み部（４ａ）が、使用時には前記ハンドル部（２）の自由端から遠く離れた前記ハンドル部（２）の端から成ることを特徴とする請求項４に記載の掃除具組立品のための一組の部品。
【請求項６】
前記掃除部（３）がブラシヘッドを有することを特徴とする請求項４又は請求項５に記載の掃除具組立品のための一組の部品。
【請求項７】
前記ブラシヘッドが歯ブラシヘッド（３）からなることを特徴とする請求項６に記載の掃除具組立品のための一組の部品。
【請求項８】
前記歯ブラシヘッド（３）がほぼ直方体である本体部（６）を有し、前記本体部の少なくとも２側面（８，９）のそれぞれに受け口（４ｂ）を有することを特徴とする請求項７に記載の掃除具組立品のための一組の部品。
【請求項９】
前記本体部（６）の上面部（８）、端面部（１０）、側面部（９）のそれぞれに受け口（４ｂ）を有することを特徴とする請求項８に記載の掃除具組立品のための一組の部品。
【請求項１０】
前記ハンドル部（２）と前記掃除部（３）がプラスチック素材により成型されたものであることを特徴とする請求項９に記載の掃除具組立品のための一組の部品。
【請求項１１】
前記解放可能な接続手段（４ａ，４ｂ）が前記各ハンドル部及び掃除部と一体化して形作られていることを特徴とする請求項１０に記載の掃除具組立品のための一組の部品。
【請求項１２】
前記請求項１から請求項１１のいずれかに記載の一組の部品（１）により組み立てられることを特徴とするブラシ（５）。
【請求項１３】
歯ブラシからなることを特徴とする請求項１２に記載のブラシ。
【発明の詳細な説明】
【技術分野】
【０００１】
本発明は、特にブラシなどの掃除具、なかでも歯ブラシの部品の一式と組立物品にかかるものである。
【背景技術】
【０００２】
歯ブラシは従来一般的に、ハンドル部と掃除部若しくはブラシヘッドを有し、これら２つの部位は基本的に一列に並んでいた。
【発明の開示】
【発明が解決しようとする課題】
【０００３】
従来のようにハンドル部と掃除部が一列に並んでいることにより、ハンドル部の部分を操作するのが難しいために、前記ブラシヘッドがすべての歯をきちんと磨くことができず、これが歯垢の形成、劣悪な口腔衛生、そして歯の全体的な劣化を導くことになる。これは振り返って、政府の厚生機関に社会に提供すべき追加的な歯科治療の負担を課すことになる。従って、本発明はこうした不都合を緩和することを目的としたものである。
【課題を解決するための手段】
【０００４】
本発明の第１の形態は、ハンドル部、掃除部、掃除具を形成するための部品を組みたてる解放可能な接続手段を有し、複数の接続手段を有する１つの部分を備え、前記部分が複数の異なる相対的位置に組み立てられることを特徴とする掃除具組立品のための一組の部品を提供することにある。
【０００５】
前記１つの部分は、前記掃除部を有する。これは、相対的に単純な構造、特に、ねじ手段からなる解放可能な接続手段を有している。
【０００６】
前記ねじ手段は前記ハンドル部にねじ山式差し込み部を、また前記掃除部に複数のねじ山式受け口を有することができる。これは複数の異なった配置を提供する組立品に融通性を持たせる。
【０００７】
前記ねじ山式差し込み部は前記ハンドル部の端からなり、使用する際には、前記ハンドル部の自由端からは遠く離れている。これは、前記ねじ山式差し込み部が相補的な受け口に直接挿入される点で比較的単純な構造を提供する。
【０００８】
前記掃除部はブラシヘッド、特に歯ブラシヘッドを有する。これは、様々な異なった方法、及び異なった角度からの歯の磨き方を可能にする比較的簡単な製品を提供する。
【０００９】
前記歯ブラシヘッドは本体部、すなわち、ほぼ直方体であり、その本体部の前記２つの表面のそれぞれに受け口を持つものとすることができる。これは、特に、受け口が前記本体部の上面、端部表面、側面にあると、複数の相対的に異なった組み立ての配置を実現する。
【００１０】
前記ハンドル部と前記掃除部はプラスチック材料により成型することができる。これは、特に、前記解放可能な接続手段が相対するハンドル部と清掃部とを一体的に形作ることができる点で比較的高価でない材料及び製品を提供する。
【００１１】
本発明の第２の形態は、上記で定義してきた一組の部品から組み立てられることを特徴とする歯ブラシを提供することである。
【００１２】
本発明の実施例である一組の部品と歯ブラシの例を関連する図面を参照しながら以下に記載する。
【発明を実施するための最良の形態】
【００１３】
図１，２，７，８，１３及び１４は、本発明に用いられる前記部品の一組の、掃除部である歯ブラシヘッドの、異なった方向からなる立面図を示す。また、図３から６，９から１２、１５から１８は図１，２，７，８，１３，１４に記載された歯ブラシヘッドが、本発明においては、どのように前記部品一式のハンドル部と組立可能であり、歯ブラシを形作るかについて示している。
【００１４】
図面によれば、一組の部品１、つまり歯ブラシを実施例とする掃除具の組立品を実現するものが示されている。これにはハンドル部２，掃除部又はブラシヘッド３、及び前記部品２，３を組み立てて前記歯ブラシ５を作るための解放可能な接続手段４ａ，４ｂを示している。前記一組の部品１は、本発明では前記ブラシヘッドである掃除部３が、複数の前記接続手段４ｂを有し、それにより前記部品２，３は複数の異なった配置で組み立てられることを特徴とする。
【００１５】
前記ハンドル部２はプラスチックなど適切な材料により成型され、一端より突出し、反対の端は使用される時に握られる自由端である。突出した一端は外側に向かってねじ山式の差し込み部であり、解放可能な接続手段４ａ,４ｂの前記部分４ａを形成する。
【００１６】
前記ブラシヘッド３はまた、プラスチックのような適切な素材により成型されて、成型過程において、掃除用の毛７を突き出すほぼ直方体である本体部６を一体的に形成する。
【００１７】
前記本体部の上部８，側面９及び端面１０はそれぞれに前記解放可能な接続手段４ａ,４ｂの、ねじ山式受け口型の前記部分４ｂを有している。各受け口４ｂは成型過程で、若しくは成型後の過程で作ることができる。どちらの場合であっても、前記受け口４ｂは前記差し込み部４ａに相補的であり、そのため、前記部品２及び３が前記差し込み部と受け口部からなるねじ状結合部において矢印“Ｘ”の方向に嵌合することができる。つまり、前記ハンドル部２とブラシヘッド３が複数の異なった相対的な配置により異なった形の歯ブラシを、前記部品の一組である１から作りだし、これにより、全対応又は全目的対応型の歯ブラシ５を提供する。例えば、図３から６において、前記ハンドル部２は前記ブラシヘッド３を長辺の側面９上で、前記差し込み部４ａを前記受け口４ｂに差して結合させることで組み立てられる。これにより前記ブラシヘッド３は前記ハンドル部２に対して９０度の角度に位置する。図３は平面図、図４は側面図、図５は底面図、そして図６は図３の反対側から、及び前記ブラシヘッド３をひっくり返した図である。
【００１８】
同じく、図９から１２は、前記ハンドル部２が前記ブラシヘッド３の前記本体部６の前記上面部８にある前記受け口４ｂにねじ入れられて組み立てられた前記ブラシヘッド３とハンドル部２を示す。図９は平面図、図１０は端部立面図、図１１は底面図、図１２は図１０の反対側からの図である。
【００１９】
更に別の組立の位置、図１５から１８に示すように、前記差し込み部４ａは端面部１０にある前記受け口部４ｂにねじ入れられて、前記ハンドル部２とブラシヘッド３が一列に組み立てられている。図１５は平面図、図１６は正面図、図１７は底面図、図１８は前記歯ブラシが逆さになった状態の背面図である。
【００２０】
このように、前記ブラシヘッド３と前記ハンドル部２が図示したように結合することにより、複数の異なった方向で相対する配置の歯ブラシの形状が提供されており、これはすべての歯を完璧に磨くことができる全対応型歯ブラシ５を提供する。
【００２１】
変更は可能である。従って、特定の表面に１つ以上の受け口部４ｂが存在する、例えば、２つかそれ以上の受け口部４ｂが上面部８に存在するなどである。これは前記本体部のいかなる面上に、つまり、上面と反対の面、両端面、つまり前記毛７がつきだしている１側面以外の面に、１つの受け口部４ｂ若しくは複数の受け口部４ｂがある場合に、更に多様な変更が可能である。
【００２２】
さらに、ここで記載された発明は、掃除用ブラシや他の実施例としてのブラシとともに使用することができる。
【図面の簡単な説明】
【００２３】
【図１】本発明に用いる掃除部のブラシヘッドの立面図の一例である。
【図２】図１のブラシヘッドの他の立面図の一例である。
【図３】本発明のブラシヘッドとハンドル部との組立て方の一例を示す図である。
【図４】本発明のブラシヘッドとハンドル部との組立て方の他の一例を示す図である。
【図５】本発明のブラシヘッドとハンドル部との組立て方の他の一例を示す図である。
【図６】本発明のブラシヘッドとハンドル部との組立て方の他の一例を示す図である。
【図７】本発明に用いる掃除部のブラシヘッドの立面図の他の一例である。
【図８】本発明に用いる掃除部のブラシヘッドの立面図の他の一例である。
【図９】本発明のブラシヘッドとハンドル部との組立て方の他の一例を示す図である。
【図１０】本発明のブラシヘッドとハンドル部との組立て方の他の一例を示す図である。
【図１１】本発明のブラシヘッドとハンドル部との組立て方の他の一例を示す図である。
【００２４】
【図１２】本発明のブラシヘッドとハンドル部との組立て方の他の一例を示す図である。
【図１３】本発明に用いる掃除部のブラシヘッドの立面図の他の一例である。
【図１４】本発明に用いる掃除部のブラシヘッドの立面図の他の一例である。
【図１５】本発明のブラシヘッドとハンドル部との組立て方の他の一例を示す図である。
【図１６】本発明のブラシヘッドとハンドル部との組立て方の他の一例を示す図である。
【図１７】本発明のブラシヘッドとハンドル部との組立て方の他の一例を示す図である。
【図１８】本発明のブラシヘッドとハンドル部との組立て方の他の一例を示す図である。
【符号の説明】
【００２５】
１  部品の一組
２  ハンドル部
３  掃除部又はブラシヘッド
４ａ  接続手段
４ｂ  接続手段
５  歯ブラシ
６  本体部
７  毛
８  上部
９  側面
１０  端面
【図１】
2006181016.tif 000003
【図２】
2006181016.tif 000004
【図３】
2006181016.tif 000005
【図４】
2006181016.tif 000006
【図５】
2006181016.tif 000007
【図６】
2006181016.tif 000008
【図７】
2006181016.tif 000009
【図８】
2006181016.tif 000010
【図９】
2006181016.tif 000011
【図１０】
2006181016.tif 000012
【図１１】
2006181016.tif 000013
【図１２】
2006181016.tif 000014
【図１３】
2006181016.tif 000015
【図１４】
2006181016.tif 000016
【図１５】
2006181016.tif 000017
【図１６】
2006181016.tif 000018
【図１７】
2006181016.tif 000019
【図１８】
2006181016.tif 000020